(57)【特許請求の範囲】
【請求項１】
端面から光が取り入れられて周面から光を発する装飾または照明用のライトファイバを、取付材を用いて、被取付体の表面に沿って取り付ける、取付構造であって、
前記取付材は、前記ライトファイバの長手方向に沿う互いに離れた複数箇所のそれぞれを保持して前記被取付体に固定され、かつ、
前記取付材は、線状または帯状の、柔軟さあるいはしなやかさを有する条材からなり、その条材は、前記被取付体の、表裏方向にあく通孔の一方側において、折り返された状態で、二本が、ライトファイバに回され、さらに、折り返し側とは反対側が、折り返し部分の内側を通過して、前記通孔を通り、前記通孔の他方側において、被取付体に固定されることを特徴とする、ライトファイバの取付構造。
【請求項２】
前記ライトファイバは、前記被取付体の表面に設けられる溝に嵌められていることを特徴とする、請求項１に記載のライトフアィバの取付構造。
【請求項３】
端面から光が取り入れられて周面から光を発する装飾または照明用のライトファイバを、取付材を用いて、被取付体の表面に沿って取り付ける、取付構造であって、
前記ライトファイバは、前記被取付体の表面に設けられる溝に嵌められ、
前記被取付体は、第１被取付体と、その第１被取付体に組み付けられる第２被取付体とを備え、
前記第１被取付体は、前記被取付体の表面における前記溝を挟む一方の表面と、その一方の表面から下がるように延設された、前記溝の一方の側壁と、その一方の側壁から延設されて前記溝の底壁を形成する段部とを、有し、
前記第２被取付体は、前記被取付体の表面における前記溝を挟む他方の表面と、その他方の表面から下がるように延設された、前記溝の他方の側壁とを、有して、前記段部における前記溝の底壁を除く部分を被い、
前記取付材は、前記ライトファイバの長手方向に沿う互いに離れた複数箇所のそれぞれを保持して前記被取付体に固定されることを特徴とする、ライトファイバの取付構造。
【請求項４】
前記取付材は、前記ライトファイバの周面の、少なくも前記被取付体のある側とは反対側を囲むようにしてそのライトファイバを保持することを特徴とする、請求項３に記載のライトファイバの取付構造。
【請求項５】
前記取付材は、線状または帯状の、柔軟さあるいはしなやかさを有する条材からなり、その条材は、前記ライトファイバに回されて、前記被取付体に固定されることを特徴とする、請求項４に記載のライトファイバの取付構造。
【請求項６】
前記条材は、前記被取付体の、表裏方向にあく通孔を通り、その通孔の一方側における前記条材が前記ライトファイバに回され、その通孔の他方側における前記条材が前記被取付体に固定されることを特徴とする、請求項５に記載のライトファイバの取付構造。
【請求項７】
前記条材は、糸であることを特徴とする、請求項１、２、５または６に記載のライトファイバの取付構造。
【請求項８】
前記被取付体は、乗物における、通路側に配備される、座席のアームレストであって、
前記被取付体の表面は、前記通路に面することを特徴とする、請求項１ないし７のいずれか１項に記載のライトファイバの取付構造。
【発明の詳細な説明】
【技術分野】
【０００１】
この発明は、装飾または照明用のライトファイバの取付構造に関するものである。
【背景技術】
【０００２】
従来、装飾または照明用として、ライトファイバが、パネルに取り付けられることがあった（例えば、特許文献１参照）。図１０に示すように、ライトファイバ２１は、長尺の取付材としてのファイバホルダ２２にほぼ全長が挿入され、さらに、パネル２３に形成された溝２３ａに挿入されて固定された。詳細には、ライトファイバ２１は、断面略Ｕ字状のファイバホルダ２２にその開口側から挿入され、そのライトファイバ２１を保持したファイバホルダ２２が、そのファイバホルダ２２のＵ字の非開口側から、パネル２３の溝２３ａに挿入された。
【先行技術文献】
【特許文献】
【０００３】
【特許文献１】特開２００７−１１３６３９号公報
【発明の概要】
【発明が解決しようとする課題】
【０００４】
ところで、前記従来のライトファイバ２１の取付けにあっては、ライトファイバ２１のほぼ全長に渡って、そのライトファイバ２１と溝２３ａとの間に、取付材としてのファイバホルダ２２が介在していた。このため、ファイバホルダ２２のためのスペースが、ライトファイバ２１のほぼ全長に渡って必要となった。また、ファイバホルダ２２は、その全長に渡って、Ｕ字の先端部分が露出したり、ライトファイバ２１が曲がって配備されたとき、ファイバホルダ２２に皺ができる虞があって、見栄えがよくなかった。
【０００５】
この発明は、上記した従来の欠点を解決するためになされたものであり、その目的とするところは、取付けのためのスペースをそれほど必要とせず、また、見栄えのよい、ライトファイバの取付構造を提供することにある。
【課題を解決するための手段】
【０００６】
この発明に係るライトファイバの取付構造は、前記目的を達成するために、次の構成からなる。すなわち、
請求項１に記載の発明に係るライトファイバの取付構造は、端面から光が取り入れられて周面から光を発する装飾または照明用のライトファイバを、取付材を用いて、被取付体の表面に沿って取り付ける、取付構造である。この取付構造においては、前記取付材は、前記ライトファイバの長手方向に沿う互いに離れた複数箇所のそれぞれを保持して前記被取付体に固定される。そして、前記取付材は、線状または帯状の、柔軟さあるいはしなやかさを有する条材からなり、その条材は、前記被取付体の、表裏方向にあく通孔の一方側において、折り返された状態で、二本が、ライトファイバに回され、さらに、折り返し側とは反対側が、折り返し部分の内側を通過して、前記通孔を通り、前記通孔の他方側において、被取付体に固定される。このライトファイバの取付構造によると、取付材は、ライトファイバの長手方向に沿う互いに離れた複数箇所を、スポット的に保持するものであり、取付けのためのスペースをそれほど必要とせず、また、目立つこともなく、見栄えがよい。そして、通孔の一方側において取付材としての条材がライトファイバに回されるのに対し、通孔の他方側において条材を引っ張って固定することで、ライトファイバが、通孔の一方側において被取付体側に押し付けられる。このため、ライトファイバを被取付体に強固に固定することができる。
また、請求項２に記載の発明に係るライトファイバの取付構造は、請求項１に記載の取付構造において、前記ライトファイバは、前記被取付体の表面に設けられる溝に嵌められている。
また、請求項３に記載の発明に係るライトファイバの取付構造は、端面から光が取り入れられて周面から光を発する装飾または照明用のライトファイバを、取付材を用いて、被取付体の表面に沿って取り付ける、取付構造である。この取付構造においては、前記ライトファイバは、前記被取付体の表面に設けられる溝に嵌められる。前記被取付体は、第１被取付体と、その第１被取付体に組み付けられる第２被取付体とを備える。ここで、前記第１被取付体は、前記被取付体の表面における前記溝を挟む一方の表面と、その一方の表面から下がるように延設された、前記溝の一方の側壁と、その一方の側壁から延設されて前記溝の底壁を形成する段部とを、有する。そして、前記第２被取付体は、前記被取付体の表面における前記溝を挟む他方の表面と、その他方の表面から下がるように延設された、前記溝の他方の側壁とを、有して、前記段部における前記溝の底壁を除く部分を被う。そこで、前記取付材は、前記ライトファイバの長手方向に沿う互いに離れた複数箇所のそれぞれを保持して前記被取付体に固定される。このライトファイバの取付構造によると、取付材は、ライトファイバの長手方向に沿う互いに離れた複数箇所を、スポット的に保持するものであり、取付けのためのスペースをそれほど必要とせず、また、目立つこともなく、見栄えがよい。
【０００７】
また、請求項４に記載の発明に係るライトファイバの取付構造は、請求項３に記載の取付構造において、前記取付材は、前記ライトファイバの周面の、少なくも前記被取付体のある側とは反対側を囲むようにしてそのライトファイバを保持する。こうして、取付材が、ライトファイバの周面の、被取付体のある側とは反対側を囲むことで、ライトファイバを確実に保持することができる。
【０００８】
また、請求項５に記載の発明に係るライトファイバの取付構造は、請求項４に記載の取付構造において、前記取付材は、線状または帯状の、柔軟さあるいはしなやかさを有する条材からなり、その条材は、前記ライトファイバに回されて、前記被取付体に固定される。
【０００９】
また、請求項６に記載の発明に係るライトファイバの取付構造は、請求項５に記載の取付構造において、前記条材は、前記被取付体の、表裏方向にあく通孔を通り、その通孔の一方側における前記条材が前記ライトファイバに回され、その通孔の他方側における前記条材が前記被取付体に固定される。これにより、通孔の他方側において条材を引っ張って固定することで、ライトファイバが、通孔の一方側において被取付体側に押し付けられる。このため、ライトファイバを被取付体に強固に固定することができる。
【００１０】
また、請求項７に記載の発明に係るライトファイバの取付構造は、請求項１、２、５または６に記載の取付構造において、前記条材は、糸である。
【００１１】
【００１２】
【００１３】
また、請求項８に記載の発明に係るライトファイバの取付構造は、請求項１ないし７のいずれか１項に記載の取付構造において、前記被取付体は、乗物における、通路側に配備される、座席のアームレストであって、前記被取付体の表面は、前記通路に面する。
【発明の効果】
【００１４】
この発明に係るライトファイバの取付構造によれば、取付材が、ライトファイバの長手方向に沿う互いに離れた複数箇所をスポット的に保持することで、取付けのためのスペースをそれほど必要とせず、また、見栄えがよい。
【図面の簡単な説明】
【００１５】
【図１】この発明の一実施の形態の、取付構造の、正面側からの斜視図である。
【図２】同じく、第１被取付体にライトファイバを取り付ける過程を示す、正面側からの斜視図である。
【図３】同じく、第１被取付体にライトファイバを取り付けた状態の、裏面側からの斜視図である。
【図４】同じく、溝を横切る、拡大断面図である。
【図５】同じく、条材をライトファイバに回す方法を示す、斜視図である。
【図６】条材をライトファイバに回す、他の方法を示す、斜視図である。
【図７】条材をライトファイバに回す、さらに他の方法を示す、斜視図である。
【図８】取付材の第１変形例を示す、斜視図である。
【図９】取付材の第２変形例を示す、斜視図である。
【図１０】従来のライトファイバの取付構造を示す斜視図である。
【発明を実施するための形態】
【００１６】
以下、この発明に係るライトファイバの取付構造を実施するための形態を図面に基づいて説明する。
【００１７】
図１〜図５は、本発明の一実施の形態を示す。図中符号１は、ライトファイバを示し、このライトファイバ１は、端面から光が取り入れられて周面から光を発する装飾または照明用のものである。２は、取付材を示す。３は、被取付体を示す。４は、前記ライトファイバ１を、前記取付材２を用いて、前記被取付体３の表面３ａに沿って取り付ける、取付構造を示す。
【００１８】
この取付構造４においては、取付材２は、ライトファイバ１の長手方向に沿う互いに離れた複数箇所のそれぞれを保持して被取付体３に固定される。詳細には、取付材２は、ライトファイバ１の周面の、少なくとも被取付体３のある側とは反対側を囲むようにしてそのライトファイバ１を保持する。より詳細には、取付材２は、線状または帯状の、柔軟さあるいはしなやかさを有する条材２０１からなり、その条材２０１は、ライトファイバ１に回されて、被取付体３に固定される。特に、図示実施の形態においては、条材２０１は、被取付体３の、表裏方向にあく通孔３ｂを通り、その通孔３ｂの一方側（表側）における条材２０１がライトファイバ１に回され、その通孔３ｂの他方側（裏側）における条材２０１が被取付体３に固定される。
【００１９】
ところで、ライトファイバ１は、被取付体３の表面３ａに設けられる溝３ｃに嵌められている。この被取付体３は、図示実施の形態においては、第１被取付体３０１と、その第１被取付体３０１に組み付けられる第２被取付体３０２とを備えている。ここにおいて、図４に示すように、第１被取付体３０１は、被取付体３の表面３ａにおける溝３ｃを挟む一方の表面３ｄと、その一方の表面３ｄから下がるように延設された、溝３ｃの一方の側壁３ｅと、その一方の側壁３ｅから延設されて溝３ｃの底壁３ｆを形成する段部３ｇとを、有する。そして、第２被取付体３０２は、被取付体３の表面３ａにおける溝３ｃを挟む他方の表面３ｈと、その他方の表面３ｈから下がるように延設された、溝３ｃの他方の側壁３ｉとを、有して、第１被取付体３０１の段部３ｇにおける溝３ｃの底壁３ｆを除く部分を被うように形成されている。
【００２０】
具体的には、被取付体３は、乗物（バスや電車等の車両とか、航空機とか、船舶）における、通路側に配備される、座席のアームレスト３０３であって、このアームレスト３０３（被取付体３）の表面３ａ（つまり、ライトファイバ１のある表面）は、前記通路に面する。このアームレスト３０３（被取付体３）は、前述したように、第１被取付体３０１と第２被取付体３０２とを備える。第１被取付体３０１は、前記一方の表面３ｄが略逆Ｕ字状に形成されて、その略逆Ｕ字の内側に前記段部３ｇが設けられている（図２参照）そして、この段部３ｇのさらに内側は、開口部３ｊとなっている。第２被取付体３０２は、第１被取付体３０１の略逆Ｕ字の内側を、溝３ｃの底壁３ｆを残して被うものであって、その第２被取付体３０２の前記他方の表面３ｈと、第１被取付体３０１の一方の表面３ｄとの間に、前記溝３ｃが、略逆Ｕ字状に延びるように形成される（図１参照）。
【００２１】
ライトファイバ１は、溝３ｃに嵌められて、その各端部１ａ、１ｂは、第１被取付体３０１（詳しくは、溝３ｃの底壁３ｆ）に設けられた孔３ｘを通って裏側に送られる（図２参照）。このライトファイバ１の一方の端部１ａには、その端面と対向するようにして、光源となるＬＥＤ等のランプ（図示せず）が、キャップとかテープ等のシール材５で被われるようにして取り付けられる。そして、ライトファイバ１の他方の端部１ｂは、キャップとかテープ等のシール材６で被われる。もっとも、他方の端部１ｂにおいても、一方の端部１ａと同様にランプを取り付けても構わない。なお、図２および図３において、符号７は、ランプから延びる電線を示す。図３において、符号８は、ライトファイバ１の各端部１ａ、１ｂを止める押え部材を示す。
【００２２】
取付材２としての条材２０１は、線状であって柔軟さあるいはしなやかさを有し、例えば釣糸からなる。そして、この条材２０１は、透明であるのが好ましいが、透明に限定されることなく、広く透光性を有するものでもよく、また、透光性を有しないものでも構わない。
【００２３】
ここで、図４に示すように、ライトファイバ１に回された条材２０１は、第１被取付体３０１（詳しくは、溝３ｃの底壁３ｆ）に設けられた通孔３ｂを通って裏側に進み、さらに、第１被取付体３０１における段部３ｇ側の裏面を通って開口部３ｊから表側に進み、段部３ｇ上に、タッカー針９によって、タッカー止めされる。もっとも、条材２０１は、タッカー針９以外に、鋲等で止められてもよいし、条材２０１を止める手段は特に限定されない。なお、第１被取付体３０１と第２被取付体３０２とは、それぞれ、芯材３ｋと、クッション性を有して芯材３ｋを被う表材３ｍとからなっている。
【００２４】
また、図５は、条材２０１をライトファイバ１に回す方法を示す。この図においては、条材２０１は、折り返された状態で、二本が、ライトファイバ１に回され、さらに、折り返し側とは反対側が、折り返し部分の内側を通過して、通孔３ｂに進む。
【００２５】
次に、以上の構成からなるライトファイバ１の取付構造４の作用効果について説明する。この取付構造４によると、条材２０１（取付材２）は、ライトファイバ１の長手方向に沿う互いに離れた複数箇所を、スポット的に保持するものであり、これによって、取付けのためのスペースをそれほど必要とせず、また、条材２０１（取付材２）が目立つこともなく、見栄えがよい。
【００２６】
また、従来のようなライトファイバ１のほぼ全長に渡るファイバホルダ（取付材）を用いる場合と異なり、条材２０１（取付材２）が、ライトファイバ１の長手方向に沿う互いに離れた複数箇所を、スポット的に保持することで、気温の変化によるライトファイバ１と取付材２との伸びの違い（つまり、熱膨張率の違い）を考慮する必要がない。
【００２７】
また、条材２０１（取付材２）が、ライトファイバ１の周面の、アームレスト３０３（被取付体３）のある側とは反対側を囲むことで、ライトファイバ１を確実に保持することができる。さらに、通孔３ｂの一方側（表側）において条材２０１がライトファイバ１に回されるのに対し、通孔３ｂの他方側（裏側）において条材２０１を引っ張って固定することで、ライトファイバ１が、通孔３ｂの一方側（表側）においてアームレスト３０３（被取付体３）側に押し付けられる。このため、ライトファイバ１をアームレスト３０３（被取付体３）に強固に固定することができる。
【００２８】
また、アームレスト３０３の表面３ａが通路に面し、その表面３ａに沿ってライトファイバ１が取り付けられることで、夜間時の通路を通る人に対し、目印となる。また、ライトファイバ１が溝３ｃに嵌められることで、表面３ａからの出っ張りを無くす、あるいは小さくすることができ、通路を通る人にとって邪魔になることがない。
【００２９】
なお、本発明は、上述した実施の形態に限定されるわけではなく、その他種々の変更が可能である。例えば、条材２０１をライトファイバ１に回すにあたって、図６および図７に示すように、条材２０１がライトファイバ１を跨ぐように折り返されてもよい。ここで、図６に示す例では、ライトファイバ１を跨いだ条材２０１の各端側は、一つの通孔３ｂを通る。そして、図７に示す例では、ライトファイバ１を跨いだ条材２０１の各端側は、交差して、別々の通孔３ｂを通る。このように、条材２０１の各端側が、別々の通孔３ｂを通る場合には、条材２０１を被取付体３に固定するにあたって、被取付体３の裏側で、条材２０１の各端側を互いに結び止めるようにしてもよい。
【００３０】
また、条材２０１は、通孔３ｂを通って裏側に進んだ後に、表側に回されて段部３ｇ上に止められなくとも、通孔３ｂを通って裏側に進んだ後に、第１被取付体３０１の裏面に止められることで固定されてもよい。また、条材２０１は、通孔３ｂを通ることなく、直接段部３ｇ上に止められたり、被取付体３の表面３ａ、つまり、第１被取付体３０１の表面３ｄや第２被取付体３０２の表面３ｈに止められたりすることで固定されてもよい。
【００３１】
また、条材２０１は、線状のものとして、釣糸以外の糸であってもよく、鋼製等のワイヤであってもよい。また、条材２０１は、線状でなくとも、帯状であって柔軟さあるいはしなやかさを有するものでもよい。そして、この帯状の条材２０１は、線状の条材２０１と同様に、透明であっても、透光性を有するものであっても、透光性を有しないものであっても構わない。特に、帯状の条材２０１に、アームレスト３０３の表面３ａの素材と同様のものを使用すれば、全体の統一感を出すことができる。
【００３２】
また、取付材２は、条材２０１でなくとも、図８および図９に示すような、ライトファイバ１に嵌合することでそのライトファイバ１を保持する、例えばリング状の保持部２ａと、被取付体３に設けられる孔に係合することでその被取付体３に固定される固定部２ｂとを備えるものであってもよい。ここで、固定部２ｂは、被取付体３の孔に螺合するねじを有するものであってもよく、また、単に孔に押し込むことでその孔に係合することができる係合突起を有するものであってもよい。ところで、図８に示す例では、固定部２ｂは、保持部２ａから突出するように形成されるが、図９に示す例では、保持部２ａと固定部２ｂとの間には、台座部２ｃが介在する。したがって、この台座部２ｃを有する取付材２を用いて、後述するような溝３ｃのない表面３ａにライトファイバ１を取り付ける場合には、ライトファイバ１が、被取付体３の表面３ａから浮き上がって配置される。
【００３３】
また、取付材２は、ライトファイバ１の周面の、被取付体３のある側とは反対側を囲むものでなくとも、ライトファイバ１の周面の、被取付体３のある側とは反対側の一部に係合するものであってもよい。
【００３４】
また、被取付体３は、第１被取付体３０１と第２被取付体３０２とを備えて、それらの間に溝３ｃが形成されるものでなくとも、一体ものに窪むようにして溝３ｃが形成されてもよい。
【００３５】
また、ライトファイバ１は、溝３ｃに嵌められるようにして取り付けられなくとも、溝３ｃのない、被取付体３の表面３ａに取り付けられても構わない。
【００３６】
また、被取付体３は、座席のアームレスト３０３でなくとも、乗物の天井とか壁とか床その他の部分あるいは物であってもよく、さらには、乗物に限定されることなく、装飾または照明を必要とするものであれば、どのような部分あるいは物であってもよい。
【符号の説明】
【００３７】
１  ライトファイバ
２  取付材
２０１  条材
３  被取付体
３０１  第１被取付体
３０２  第２被取付体
３０３  アームレスト
３ａ  表面
３ｂ  通孔
３ｃ  溝
３ｄ  一方の表面
３ｅ  一方の側壁
３ｆ  底壁
３ｇ  段部
３ｈ  他方の表面
３ｉ  他方の側壁
４  取付構造
【図１】
0005809468.tif 000002
【図２】
0005809468.tif 000003
【図３】
0005809468.tif 000004
【図４】
0005809468.tif 000005
【図５】
0005809468.tif 000006
【図６】
0005809468.tif 000007
【図７】
0005809468.tif 000008
【図８】
0005809468.tif 000009
【図９】
0005809468.tif 000010
【図１０】
0005809468.tif 000011